(57)【特許請求の範囲】
【請求項１】
床面に、長尺状の上面に長尺方向に溝部又は突条部を有する枠組を方形状に組み、この枠組の上部に、パネルとこのパネルの周囲四辺に取り付けられる枠材とからなり、下部の枠材には、上記溝部と嵌合する突条部又は上記突条部と嵌合する溝部が設けられたユニットパネルを、上記突条部と溝部との嵌合により立設して、組立体の側面の周囲を組み立て、
上記側面のユニットパネルの上部に、パネルとこのパネルの四辺の周囲に取り付けられる枠材とからなるユニットパネルを載置して天井面を組み立てる一方、
上記ユニットパネルは、上記枠材として、押出し成形により形成されるとともに、中空状の四角筒からなり、一方の平面部に突条部が設けられ、背面側の他方の平面部に溝部が設けられた第一の枠材、中空状の四角筒からなり、一方の平面部と背面側の他方の平面部にそれぞれ溝部が設けられた第二の枠材、及び、中空状の四角筒からなり、一方の平面部とこれと隣接する他方の平面部にそれぞれ溝部が設けられた第三の枠材の内から、二つ以上の種類の枠材を用いて形成したことを特徴とするパネル組立体構造。
【請求項２】
上記組立体の側面を形成し隣り合うユニットパネルは、一方のユニットパネルの枠材の接合面には長尺方向に溝部又は突条部が設けられ、他方のユニットパネルの枠材には、上記溝部に嵌合する突条部又は上記突条部に嵌合する溝部が設けられ、これら突条部と溝部との嵌合により両者を接合したことを特徴とする請求項１記載のパネル組立体構造。
【請求項３】
床面に、長尺状の上面に長尺方向に凹部を有する枠組を方形状に組み、この凹部に、パネルとこのパネルの周囲四辺に取り付けられる枠材とからなるユニットパネルを嵌入立設し、このユニットパネルの左右の側面部にこれと隣接する他のユニットパネルの枠材の長尺方向に設けられる溝部又は突条部とそれぞれ嵌合する突条部又は溝部を設け、上記突条部と溝部との嵌合により組立体の側面の周囲を組み立て、
上記側面のユニットパネルの上部に、パネルとこのパネルの四辺の周囲に取り付けられる枠材とからなるユニットパネルを載置して天井面を組み立てる一方、
上記ユニットパネルは、上記枠材として、押出し成形により形成されるとともに、中空状の四角筒からなり、一方の平面部に突条部が設けられ、背面側の他方の平面部に溝部が設けられた第一の枠材、中空状の四角筒からなり、一方の平面部と背面側の他方の平面部にそれぞれ溝部が設けられた第二の枠材、及び、中空状の四角筒からなり、一方の平面部とこれと隣接する他方の平面部にそれぞれ溝部が設けられた第三の枠材の内から、二つ以上の種類の枠材を用いて形成したことを特徴とするパネル組立体構造。
【請求項４】
上記組立体の側面を形成するユニットパネルの上部の枠材の上面には長尺方向に溝部又は突条部が設けられる一方、上記天井面を形成するユニットパネルの枠材の下面には、上記溝部に嵌合する突条部又は上記突条部に嵌合する溝部が設けられ、これら突条部と溝部との嵌合により両者を接合したことを特徴とする請求項１，２又は３記載のパネル組立体構造。
【請求項５】
床面に、長尺状の上面に長尺方向に溝部又は突条部を有する枠組を方形状に組み、この枠組の上部に、パネルとこのパネルの周囲四辺に取り付けられる枠材とからなり、下部の枠材には、上記溝部と嵌合する突条部又は上記突条部と嵌合する溝部が設けられたユニットパネルを、上記突条部と溝部との嵌合により立設して、組立体の側面の周囲を組み立て、
上記側面のユニットパネルの上部に、パネルとこのパネルの四辺の周囲に取り付けられる枠材とからなるユニットパネルを載置して天井面を組み立てる一方、
上記ユニットパネルは、上記枠材として、押出し成形により形成されるとともに、中空状の四角筒からなり、一方の平面部と背面側の他方の平面部にそれぞれ溝部が設けられた第一の枠材、中空状の四角筒からなり、一方の平面部に突条部が設けられ、背面側の他方の平面部に溝部が設けられた第二の枠材、及び、中空状の四角筒からなり、一方の平面部に溝部が設けられ、これと隣接する他方の平面部に突条部が設けられた第三の枠材の内から、二つ以上の種類の枠材を用いて形成したことを特徴とするパネル組立体構造。
【請求項６】
床面に、長尺状の上面に長尺方向に凹部を有する枠組を方形状に組み、この凹部に、パネルとこのパネルの周囲四辺に取り付けられる枠材とからなるユニットパネルを嵌入立設し、このユニットパネルの左右の側面部にこれと隣接する他のユニットパネルの枠材の長尺方向に設けられる溝部又は突条部とそれぞれ嵌合する突条部又は溝部を設け、上記突条部と溝部との嵌合により組立体の側面の周囲を組み立て、
上記側面のユニットパネルの上部に、パネルとこのパネルの四辺の周囲に取り付けられる枠材とからなるユニットパネルを載置して天井面を組み立てる一方、
上記ユニットパネルは、上記枠材として、押出し成形により形成されるとともに、中空状の四角筒からなり、一方の平面部と背面側の他方の平面部にそれぞれ溝部が設けられた第一の枠材、中空状の四角筒からなり、一方の平面部に突条部が設けられ、背面側の他方の平面部に溝部が設けられた第二の枠材、及び、中空状の四角筒からなり、一方の平面部に溝部が設けられ、これと隣接する他方の平面部に突条部が設けられた第三の枠材の内から、二つ以上の種類の枠材を用いて形成したことを特徴とするパネル組立体構造。
【請求項７】
上記ユニットパネルを形成する各枠材の溝部のうち、このユニットパネルの内側に配置される溝部は上記パネルの一辺を嵌め込み保持するために用いられ、このユニットパネルの外側に配置される溝部は上記枠材の突条部を嵌入するために用いられることを特徴とする請求項５又は６に記載のパネル組立体構造。
【請求項８】
上記各枠材において、上記平面部に設けられる上記溝部を平行な２本の溝部とする一方、上記平面部に設けられる上記突条部を、上記２本の溝部と嵌合可能な２本の突条部としたことを特徴とする請求項５又は６に記載のパネル組立体構造。
【請求項９】
上記ユニットパネルの組み立てに際し、一方の枠材及びこれと直角に配置される他方の枠材を、上記一方の枠材に介入したビスを上記他方の枠材に長手方向に形成された断面Ｃ字状の止着部に螺着して両者を接合したことを特徴とする請求項１乃至８の何れかに記載のパネル組立体構造。
【請求項１０】
床面に敷設される上記枠組の下部に、束を取付けて空気を取り入れる空間部を形成し、上記組立体の側面の一部にドアを設ける一方、上記天井面に空気排出用もしくは空気流入用の開口部を設けたことを特徴とする請求項１乃至９の何れかに記載のパネル組立体構造。
【請求項１１】
床面に敷設される上記枠組の下部に、キャスターを取付けて移動可能とするとともに空気を取り入れる空間部を形成し、上記組立体の側面の一部にドアを設ける一方、上記天井面に空気排出用もしくは空気流入用の開口部を設けたことを特徴とする請求項１乃至９の何れかに記載のパネル組立体構造。
【発明の詳細な説明】
【技術分野】
【０００１】
本発明は、喫煙ルーム、クリーンブース、避難所ブースなどに採用可能なパネル組立体構造に関する。
【背景技術】
【０００２】
近年、喫煙対策は社会的に重要視され、健康増進法では公共施設、企業、店舗などにおいても受動喫煙を防止するための措置を講ずることが求められている。このため、喫煙ルーム等を設置して分煙対策を行うことが具体策として一般に行われるようになっている。
【０００３】
従来、例えば特許文献１には図２７に示すように、支柱及び梁によって構成された骨組１４２の側面に側面パネル１４４を設けると共に、上面に天井パネル１４６を設けてなる箱形の構造体で、天井パネル１４６は排煙用開口部を備え、側面パネル１４４は下方部に吸気用開口部１４８を有し、この吸気用開口部から吸引された外気が上記排煙用開口部から排出される喫煙ルーム１４１が開示されている。この喫煙ルームによれば、ルーム内の煙草の煙を効率よく排出することができ、また排煙用開口部を有した天井パネルや吸気用開口部を有した側面パネルをそれぞれ骨組みに取付けるようにしたので、施工を容易にすることができるというものである。
【０００４】
また、特許文献２には、多辺縁パネルの多辺縁又は多辺縁に囲まれた内側の何れか片方及び両方に、ブロックの第１面より延出した突起部、及びブロックの第２、第３、第４面に溝部が設けられた結合システムブロック（枠材）を具備した壁パネルを用いたパネル結合システムの記載があり、これは上記ブロックを用い、これと他のブロックの上記突起部と上記溝部とが密接するようにボルトで締め付けて結合し組立パネルを構成する。この結合システムブロックによれば、簡易、簡便にパネル組立が行えるというものである。
【０００５】
特許文献３には、喫煙ブース内の空気を換気する換気手段と、前記喫煙ブース内空気を流入させる空気流入手段とを、前記喫煙ブースの中央を経てほぼ対向する位置に配置した喫煙ブースが開示されている。この喫煙ブースによれば、空気の流れが常に空気流入段から喫煙ブースの中央を経て換気手段に流れ、タバコの煙や臭いを効率的に除去できるというものである。
【０００６】
【特許文献１】特開２００５−２２０６９２公報
【特許文献２】特開２００６−３７６２１公報
【特許文献３】特開２００５−２０７０７８公報
【発明の開示】
【発明が解決しようとする課題】
【０００７】
さて、上記特許文献１の喫煙ルームは、柱及び梁を骨組みとし、支柱間を室外側から被うようにして壁面ユニットを固定し、また透明パネルは、側面を支柱に固定しもう一方は反対側の支柱に固定された透明パネルと突合せ、リブを介して互いに固定する構成であるため、施工には多くの労力及び時間を必要とし、コストもかかるという問題がある。
また、特許文献２の結合システムブロックを用いた壁パネルは、このブロック自体にパネルを組み込むことは出来ず、また枠材同士をボルトで締め付ける形態であり、この際緊結金物挿入欠損部からボルトを挿入して締結するため作業性が悪いという問題がある。特許文献３の喫煙ブースは、パーテーション或いは天井カバー、側面カバーからなる簡易な構成であるため、耐久性及び強度に問題がある。
【０００８】
本発明は上記問題点を解決するためになされたものであり、組立て施工が簡単であり、かつ形態が簡素で経済性にも優れたパネル組立体構造を提供することを目的とする。
【課題を解決するための手段】
【０００９】
以上の技術的課題を解決するため、本発明に係るパネル組立体構造は、図１等に示すように、床面に、長尺状の上面に長尺方向に溝部１０又は突条部８を有する枠組３７を方形状に組み、この枠組の上部に、パネル２とこのパネルの周囲四辺に取り付けられる枠材とからなり、下部の枠材には、上記溝部１０と嵌合する突条部８又は上記突条部８と嵌合する溝部１０が設けられたユニットパネル４を、上記突条部と溝部との嵌合により立設して、組立体の側面の周囲を組み立て、上記側面のユニットパネル４の上部に、パネル２とこのパネルの四辺の周囲に取り付けられる枠材とからなるユニットパネル４を載置して天井面を組み立てる構成である。
【００１０】
本発明に係るパネル組立体構造は、上記組立体の側面を形成し隣り合うユニットパネル４は、一方のユニットパネル４の枠材の接合面には長尺方向に溝部１０又は突条部８が設けられ、他方のユニットパネル４の枠材には、上記溝部１０に嵌合する突条部８又は上記突条部８に嵌合する溝部１０が設けられ、これら突条部と溝部との嵌合により両者を接合した構成である。
【００１１】
本発明に係るパネル組立体構造は、床面に、長尺状の上面に長尺方向に凹部を有する枠組を方形状に組み、この凹部に、パネル２とこのパネルの周囲四辺に取り付けられる枠材とからなるユニットパネル４を嵌入立設し、このユニットパネル４の左右の側面部にこれと隣接する他のユニットパネル４の枠材の長尺方向に設けられる溝部１０又は突条部８とそれぞれ嵌合する突条部８又は溝部１０を設け、上記突条部と溝部との嵌合により組立体の側面の周囲を組み立て、上記側面のユニットパネル４の上部に、パネル２とこのパネルの四辺の周囲に取り付けられる枠材とからなるユニットパネル４を載置して天井面を組み立てる構成である。
【００１２】
本発明に係るパネル組立体構造は、上記組立体の側面を形成するユニットパネル４の上部の枠材の上面には長尺方向に溝部１０又は突条部８が設けられる一方、上記天井面を形成するユニットパネル４の枠材の下面には、上記溝部１０に嵌合する突条部８又は上記突条部８に嵌合する溝部１０が設けられ、これら突条部と溝部との嵌合により両者を接合した構成である。
【００１３】
本発明に係るパネル組立体構造は、上記ユニットパネル４に用いられる上記枠材は、押出し成形により形成されるとともに、中空状の四角筒からなり、一方の平面部に突条部が設けられ、背面側の他方の平面部に溝部が設けられた第一の枠材（Ａ）、中空状の四角筒からなり、一方の平面部と背面側の他方の平面部にそれぞれ溝部が設けられた第二の枠材（Ｂ）、及び、中空状の四角筒からなり、一方の平面部とこれと隣接する他方の平面部にそれぞれ溝部が設けられた第三の枠材（Ｃ）の内から、二つ以上の種類の枠材を用いて上記ユニットパネルを形成した構成である。
【００１４】
本発明に係るパネル組立体構造は、上記ユニットパネル４に用いられる上記枠材は、押出し成形により形成されるとともに、中空状の四角筒からなり、一方の平面部と背面側の他方の平面部にそれぞれ溝部が設けられた第一の枠材（Ａ）、中空状の四角筒からなり、一方の平面部に突条部が設けられ、背面側の他方の平面部に溝部が設けられた第二の枠材（Ｂ）、及び、中空状の四角筒からなり、一方の平面部に溝部が設けられ、これと隣接する他方の平面部に突条部が設けられた第三の枠材（Ｃ）の内から、二つ以上の種類の枠材を用いて上記ユニットパネルを形成した構成である。
【００１５】
本発明に係るパネル組立体構造は、上記ユニットパネル４を形成する各枠材の溝部１０のうち、このユニットパネル４の内側に配置される溝部１０は上記パネル２の一辺を嵌め込み保持するために用いられ、このユニットパネル４の外側に配置される溝部１０は上記枠材の突条部８を嵌入するために用いられる構成である。
【００１６】
本発明に係るパネル組立体構造は、上記各枠材において、上記平面部に設けられる上記溝部１０を平行な２本の溝部１０とする一方、上記平面部に設けられる上記突条部８を、上記２本の溝部１０と嵌合可能な２本の突条部８とした構成である。
【００１７】
本発明に係るパネル組立体構造は、上記ユニットパネル４の組み立てに際し、一方の枠材及びこれと直角に配置される他方の枠材を、上記一方の枠材に介入したビス３０を上記他方の枠材に長手方向に形成された断面Ｃ字状の止着部１２に螺着して両者を接合した構成である。
【００１８】
本発明に係るパネル組立体構造は、床面に敷設される上記枠組の下部に、束を取付けて空気を取り入れる空間部を形成し、上記組立体の側面の一部にドアを設ける一方、上記天井面に空気排出用もしくは空気流入用の開口部３５を設けた構成である。
【００１９】
本発明に係るパネル組立体構造は、床面に敷設される上記枠組の下部に、キャスターを取付けて移動可能とするとともに空気を取り入れる空間部を形成し、上記組立体の側面の一部にドアを設ける一方、上記天井面に空気排出用もしくは空気流入用の開口部３５を設けた構成である。
【発明の効果】
【００２０】
本発明に係るパネル組立体構造によれば、溝部又は突条部を有する枠組の上部に、下部の枠材には、突条部又は溝部が設けられたユニットパネルを嵌合により立設し、上部にユニットパネルを載置して天井面を組み立てた構成としたから、迅速かつ容易にパネル組立体構造の組み立てが行えて施工性に優れ、また経済性にも優れたパネル組立体構造が得られるという効果がある。
【００２１】
本発明に係るパネル組立体構造によれば、組立体の側面を形成し隣り合うユニットパネルは、一方のユニットパネルと他方のユニットパネルの枠材同士を突条部と溝部との嵌合により接合した構成を採用したから、迅速かつ容易にパネル組立体構造の組み立てが行えて施工性に優れるという効果がある。
【００２２】
本発明に係るパネル組立体構造によれば、長尺方向に凹部を有する枠組の凹部に、ユニットパネルを嵌入立設し、ユニットパネル同士を溝部と突条部の嵌合により接合して組立体の側面の周囲を組み立て、上部にユニットパネルを載置して天井面を組み立てた構成としたから、迅速かつ容易にパネル組立体構造の組み立てが行えて施工性に優れ、また経済性にも優れたパネル組立体構造が得られるという効果がある。
【００２３】
本発明に係るパネル組立体構造によれば、組立体の側面を形成するユニットパネルと天井面を形成するユニットパネルとを突条部と溝部との嵌合により接合した構成を採用したから、パネル組立体構造の側面と天井面の各ユニットパネル同士の接合が迅速かつ容易に行えるという効果がある。
【００２４】
本発明に係るパネル組立体構造によれば、ユニットパネルに用いられる枠材は、中空状の四角筒からなり、一方に突条部が他方に溝部が設けられた第一の枠材、平面部にそれぞれ溝部が設けられた第二の枠材、及び一方とこれと隣接する他方の平面部にそれぞれ溝部が設けられた第三の枠材を用いてユニットパネルを形成したから、これら３種類の枠材で効果的にパネル組立体構造の各部位におけるユニットパネルが形成でき、またこのようなユニットパネルを工場で大量生産でき、かつ現場においては各部のユニットパネルを組み合わせるのみで簡単かつ迅速にパネル組立体構造が構築できるという効果がある。
【００２５】
本発明に係るパネル組立体構造によれば、ユニットパネルに用いられる枠材は、中空状の四角筒からなり、平面部にそれぞれ溝部が設けられた第一の枠材、一方に突条部が他方に溝部が設けられた第二の枠材、及び一方に溝部がこれと隣接する他方に突条部が設けられた第三の枠材の枠材を用いてユニットパネルを形成したから、これら３種類の枠材で効果的にパネル組立体構造の各部位におけるユニットパネルが形成でき、またこのようなユニットパネルを工場で大量生産でき、かつ現場においては各部のユニットパネルを組み合わせるのみで間単かつ迅速にパネル組立体構造が構築できるという効果がある。
【００２６】
本発明に係るパネル組立体構造によれば、ユニットパネルの内側の溝部はパネルを嵌め込み保持するため、外側に配置される溝部は第一の枠材の突条部を嵌入するために用いられる構成を採用したから、各枠材が効率的に使用できて部品点数の削減にも寄与するという効果がある。
【００２７】
本発明に係るパネル組立体構造によれば、各枠材に２本の溝部或いは２本の突条部を設けたから、断熱効果及び防音効果に優れたパネル組立体構造が得られるという効果がある。
【００２８】
本発明に係るパネル組立体構造によれば、ユニットパネルの一方の枠材からビスを用いて他方の枠材の止着部に螺着して両者を接合したから、枠材同士の接合が簡単かつ効果的に行えるという効果がある。
【００２９】
本発明に係るパネル組立体構造によれば、枠組の下部に束を取付けて空間部を形成し、組立体にドアを、天井面に通気用の開口部を設けた構成としたから、迅速、容易かつ低コストでパネル組立体構造による喫煙ボックス、クリーンブース等が得られるという効果がある。
【００３０】
本発明に係るパネル組立体構造によれば、枠組の下部にキャスターを取付けて空間部を形成し、組立体にドアを、天井面に通気用の開口部を設けた構成としたから、迅速、容易かつ低コストでパネル組立体構造による移動可能な喫煙ボックス、クリーンブース等が得られるという効果がある。
【発明を実施するための最良の形態】
【００３１】
以下、本発明に係るパネル組立体構造の実施の形態を図面に基づいて説明する。
図１は、第一の実施の形態に係るパネル組立体構造の説明図である。このパネル組立体構造は、全体が直方体のボックス形状の構造体を構築するものであり、３種類の枠材（Ａ，Ｂ，Ｃ）を用い、これら枠材により矩形状のパネル２を囲んで保持したユニットパネル４を用い、これらユニットパネル４を順に組み合わせかつ接合したものである。
【００３２】
上記パネル組立体に使用する３種類の枠材は、図２（ａ）に示す第一の枠材（Ａ）、図２（ｂ）に示す第二の枠材（Ｂ）、図３（ｃ）に示す第三の枠材（Ｃ）であり、何れもアルミニウム又はアルミニウム合金の押出成形による中空状の四角筒からなるものである。なお、これら枠材として、他に合成樹脂材或いは鋼板の成形によるものを用いることができる。
【００３３】
上記第一の枠材（Ａ）は、断面長方形の中空状の四角筒からなり、一方の平面部６の中央部には長尺方向に突条部８が設けられ、この平面部６の背面側の他方の平面部７の中央部には長尺方向に溝部１０が設けられた形状である。また、上記平面部６の溝部１０の両側にはそれぞれ断面Ｃ字状の止着部１２，１２が設けられている。
【００３４】
上記第二の枠材（Ｂ）は、断面長方形の中空状の四角筒からなり、一方の平面部１４の中央部には長尺方向に溝部１０が設けられ、この平面部１４の背面側の他方の平面部１６の中央部にも長尺方向に溝部１０が設けられた形状である。また、上記平面部１４の溝部１０の両側にはそれぞれ断面Ｃ字状の止着部１２，１２が設けられ、上記他方の平面部１６の溝部１０の両側にもそれぞれ断面Ｃ字状の止着部１２，１２が設けられている。
【００３５】
上記第三の枠材（Ｃ）は、断面正方形の中空状の四角筒からなり、一方の平面部１８とは直角向きに隣接する側面の平面部２０には、それぞれ中央部には長尺方向に溝部１０が設けられている。また、上記平面部１８の溝部１０の両側にはそれぞれ断面Ｃ字状の止着部１２，１２が設けられ、上記側面の平面部２０の溝部１０の両側にもそれぞれ断面Ｃ字状の止着部１２，１２が設けられている。
【００３６】
図３は、上記第一の部材（Ａ）の平面部に設けた突条部８と、上記第二の枠材（Ｂ）又は上記第三の枠材（Ｃ）の平面部に設けた溝部１０との嵌合状態を示したものである。上記突条部８には、平面部６から頂部２１の近傍部位にかけて山状の斜面部２２，２２が形成されている。また、上記溝部１０には、平面部から溝部の側面２４，２４の中間部位にかけて斜面部２６，２６が形成されている。
【００３７】
ここで例えば、上記第二の枠材（Ｂ）に第一の枠材（Ａ）を接合する場合には、第二の枠材（Ｂ）の平面部に設けた溝部１０に、第一の部材（Ａ）の平面部に設けた突条部８を嵌入する。このとき、上記溝部１０は上記斜面部２６，２６により嵌入口の幅が拡大されて、上記突条部８の嵌入を容易にしている。一方、突条部８は斜面部２２，２２により断面が山状に形成されているため、溝部１０への嵌入が容易に行え、かつ嵌入途中には上記斜面部２２，２２、斜面部２６，２６の相互のガイドにより正確な位置（中央）で両者が嵌合する。
【００３８】
また図４に示すように、上記第一の枠材（Ａ）の溝部１０、第二の枠材（Ｂ）の一方の溝部１０、第三の枠材（Ｃ）の一方の溝部１０は、それぞれパネル２を嵌め込むために用いられる。上記溝部１０にパネル２を嵌め込む際には、押え材２８を用いる。
【００３９】
この押え材２８は、硬質ゴムからなり、断面コの字状の長尺部材である。押え材２８は、パネル２を保持する凹状の保持部２９及び枠材の溝部１０と同じ形状の嵌合部２７からなる。押え材２８は上記溝部１０の内壁に密着するように、溝部１０の斜面部２６，２６に対応する嵌合部２７は斜面状に形成されている。通常、パネル２の一辺を押え材２８の保持部２９に嵌めた状態で、この押え材２８とともにパネル２を枠材の溝部１０に嵌める。このとき、溝部１０の斜面部２６，２６がガイドとなって、押え材２８及びパネル２の嵌め込みが容易に行える。
【００４０】
図５，６等に示すように、上記枠材（Ａ）（Ｂ）（Ｃ）を矩形状に組んで、パネル２を装着したユニットパネル４を組立てる。これら枠体（Ａ）（Ｂ）（Ｃ）は、互いに直角に接合して組み立てられ各接合する箇所はビス３０にて固定する。
【００４１】
図５は、第三の枠材（Ｃ）に、第一の枠材（Ａ）を接合する状態を示したものである。同図に示すように、予め第三の枠材（Ｃ）の外側の面部の所定位置に、ビス３０の頭部３１が通過する孔部３２が設けられ、これと対向する内側の面部にビス３０のネジ部３３のみが挿通可能な止着孔部３４が設けられている。そして、第三の枠材（Ｃ）の孔部３２を通過させたビス３０を、止着孔部３４に介入させ、直交する第一の枠材（Ａ）の止着部１２に螺入する。隣接する他の止着部１２についても、同様にしてビス３０を螺設し、第三の枠材（Ｃ）に第一の枠材（Ａ）を接合し固定する。
【００４２】
図６は、第三の枠材（Ｃ）に、第二の枠材（Ｂ）を接合し、さらにこの第二の枠材（Ｂ）に他の第二の枠材（Ｂ）を接合する状態を示したものである。同図に示すように、予め第三の枠材（Ｃ）の外側の面部の所定位置に、ビス３０が通過する孔部３２が設けられ、これと対向する内側の面部にビス３０のネジ部３３のみが挿通可能な止着孔部３４が設けられている。
【００４３】
そして、第三の枠材（Ｃ）の孔部３２を通過させたビス３０を、止着孔部３４に介入させ、直交する第二の枠材（Ｂ）の止着部１２に螺入する。隣接する他の止着部１２についても、同様にしてビス３０を螺設し、第三の枠材（Ｃ）に第二の枠材（Ｂ）を接合する。第二の枠材（Ｂ）に、これと直交する他の第二の枠材（Ｂ）を接合する場合についても、第二の枠材（Ｂ）の孔部３２を通過させたビス３０を、止着孔部３４に介入させ、直交する他の第二の枠材（Ｂ）の止着部１２に螺入する。他の止着部１２についても、同様にしてビス３０を螺設し、第二の枠材（Ｂ）に他の第二の枠材（Ｂ）を接合する。
【００４４】
図７は、第三の枠材（Ｃ）に、他の第三の枠材（Ｃ）を接合する状態を示したものである。この場合も、第三の枠材（Ｃ）の孔部３２を通過させたビス３０を、止着孔部３４に介入させ、直交する他の第三の枠材（Ｃ）の止着部１２に螺入する。
【００４５】
図８は、第二の枠材（Ｂ）に、第一の枠材（Ａ）及び他の第二の枠材（Ｂ）を接合する状態を示したものである。同図に示すように、予め第二の枠材（Ｂ）の外側の面部の所定位置に、ビス３０の頭部３１が通過する孔部３２が設けられ、これと対向する内側の面部にビス３０のネジ部３３のみが挿通可能な止着孔部３４が設けられている。そして、第二の枠材（Ｂ）の孔部３２を通過させたビス３０を、止着孔部３４に介入させ、直交する第一の枠材（Ａ）の止着部１２に螺入する。
【００４６】
第二の枠材（Ｂ）に、これと直交する他の第二の枠材（Ｂ）を接合する場合についても、第二の枠材（Ｂ）の孔部３２を通過させたビス３０を、止着孔部３４に介入させ、直交する他の第二の枠材（Ｂ）の止着部１２に螺入する。他の止着部１２についても、同様にしてビス３０を螺設し、第二の枠材（Ｂ）に他の第二の枠材（Ｂ）を接合する。
【００４７】
図９は、第一の枠材（Ａ）に、他の第一の枠材（Ａ）及び第二の枠材（Ｂ）を接合する状態を示したものである。この場合も、第一の枠材（Ａ）の孔部３２を通過させたビス３０を、止着孔部３４に介入させ、直交する他の第一の枠材（Ａ）の止着部１２に螺入する。第一の枠材（Ａ）に、これと直交する第二の枠材（Ｂ）を接合する場合についても、同様にしてビス３０を螺設し、第一の枠材（Ａ）に第二の枠材（Ｂ）を接合する。
【００４８】
図１０は、第三の枠材（Ｃ）に、第一の枠材（Ａ）及び第二の枠材（Ｂ）を接合する状態を示したものである。同図に示すように、予め第三の枠材（Ｃ）の外側の面部の所定位置に、ビス３０の頭部３１が通過する孔部３２が設けられ、これと対向する内側の面部にビス３０のネジ部３３のみが挿通可能な止着孔部３４が設けられている。そして、第三の枠材（Ｃ）の孔部３２を通過させたビス３０を、止着孔部３４に介入させ、直交する第一の枠材（Ａ）の止着部１２に螺入する。
【００４９】
第三の枠材（Ｃ）に、これと直交する第二の枠材（Ｂ）を接合する場合についても、第三の枠材（Ｃ）の孔部３２を通過させたビス３０を、止着孔部３４に介入させ、直交する第二の枠材（Ｂ）の止着部１２に螺入する。上記、第一の枠材（Ａ）、第二の枠材（Ｂ）及び第三の枠材（Ｃ）の３種類の枠材、又はこれらの内の２種類の枠材を用いて、パネル２を装着した矩形状のユニットパネル４を組立てる。
【００５０】
図１１は、第三の枠材（Ｃ）に第一の枠材（Ａ）を取り付け、これに押え材２８を介してパネル２を取り付ける状態を示したものである。通常、パネル２の各辺に押え材２８を嵌め込み、このパネル２を押え材２８とともに、第一の枠材（Ａ）及び第三の枠材（Ｃ）の各溝部１０に嵌入する。
【００５１】
図１２は、第三の枠材（Ｃ）に第二の枠材（Ｂ）を取り付け、これに押え材２８を介してパネル２を取り付ける状態を示したものである。パネル２の各辺に押え材２８を嵌め込み、このパネル２を押え材２８とともに、第一の枠材（Ａ）及び第三の枠材（Ｃ）の各溝部１０に嵌入する。そして、上記パネル２の周囲を上記各枠体で囲んで所定のユニットパネル４を組立てる。
【００５２】
図１に示すパネル組立体構造は、上記ユニットパネル４を組み合わせて組立てられる。これらユニットパネル４を構成する枠材の形態は、パネル組立体構造における側面、天井面など使用される面により異なり、また同じ側面或いは天井面においても位置により異なる。パネル組立体構造の組立てに際しては、組立体の側面として正面部、背面部、右側面及び左側面用のユニットパネル４、及び天井面用のユニットパネル４をそれぞれ用いる。通常、上記ユニットパネル４は工場で組み立て加工され、現場ではこれらユニットパネル４を組み合わせてパネル組立体構造のボックスを構築する。
【００５３】
図１３（ａ）（ｂ）（ｃ）は、パネル組立体構造の正面部に用いられるユニットパネル４を配置の順に示したものである。このうち、図１３（ａ）（ｃ）のユニットパネル４は、第一の枠材（Ａ）、第二の枠材（Ｂ）及び第三の枠材（Ｃ）の３種類の枠材を用いた形態であり、図１３（ｂ）のユニットパネル４は第一の枠材（Ａ）及び第二の枠材（Ｂ）の２種類の枠材を用いた形態である。何れのユニットパネル４についても、パネル２が嵌め込まれており、中間に横向きに設けられる第二の枠材（Ｂ）の上部と下部では種類の異なるパネル２、例えば上部には透明のパネル２を下部には白色に着色したパネル２等を装着することができる。
【００５４】
ここでの第一の枠材（Ａ）は、隣接するユニットパネル４との接合のために用いられる。第二の枠材（Ｂ）は、隣接するユニットパネル４との接合のため、及びパネル２同士の間に介在させるために用いられる。また、第三の枠材（Ｃ）はパネル組立体構造の角部に用いられる。他のユニットパネル４などについても、図１にＡ、Ｂ、Ｃで示される枠材を用いて組立てられる。
【００５５】
図１４（ａ）（ｂ）（ｃ）は、パネル組立体構造の天井面に用いられるユニットパネル４を配置の順に示したものである。何れの枠体についても、第一の枠材（Ａ）、第二の枠材（Ｂ）及び第三の枠材（Ｃ）の３種類又は２種類の枠材を用いた形態である。このように、第一の枠材（Ａ）は、隣接するユニットパネル４との接合のために用いられる。第二の枠材（Ｂ）は、隣接するユニットパネル４との接合のため、及びパネル２同士の間に介在させるために用いられる。また、第三の枠材（Ｃ）はパネル組立体構造の周囲の箇所に用いられる。
【００５６】
上記何れのユニットパネル４についても、パネル２が嵌め込まれており例えば白色に着色したパネル２等を装着することができる。但し、天井面の中央に用いられるユニットパネル４の中央部には、横に平行に配置された２本の第二の枠材（Ｂ）及びこれら枠材間に縦に平行に配置された２本の第二の枠材（Ｂ）により矩形状の開口部３５が形成されている。この開口部３５は、内部の空気排出用或いは外部からの空気流入用の通気口として用いられる。
【００５７】
上記パネル組立体構造は、側面として正面、背面、右側面、左側面及び天井面の５面からなっており、上記ユニットパネル４の枠組みに用いられる枠材の形態も上記各面毎に異なる。このパネル組立体構造は、基本的にはユニットパネル４同士を、突条部８と溝部１０との嵌合により同一面方向及び直角方向に接合して組み立てる。下端部は、下記アジャスター３８を取付ける関係で、第三の枠材（Ｃ）による枠組３７を用いているが、この枠組み３７と上部に配置されるユニットパネル４とは、突条部８と溝部１０との嵌合により接続する形態としている。そして、嵌合のみでは外れる可能性のある接合箇所については、下記当て板６８を取付けて固定する。
【００５８】
さて、上記パネル組立体構造を組立てる場合には、図１５（ａ）（ｂ）に示すように、先ず、床面の上に第三の枠材（Ｃ）をコの字状に連結した枠組３７を組む。この枠組３７は２つ用い、両者を向かい合わせに配置し、一方の端部同士は接続し、他方の端部間は下記ドア８１の設置のために所定の間隔を開けておく。この場合も、上述した方法によりビス３０を用いて第三の枠材（Ｃ）同士を直角に接続する。またこの実施の形態では、上記第三の枠材（Ｃ）は、上部に溝部１０が向けられるように配置する。
【００５９】
上記枠組３７の下部のコーナー部及び端部にアジャスター３８を取り付ける。
図１６は、上記アジャスター３８の取付け形態を示すものである。このアジャスター３８は、ゴム等の弾性材からなる台座４０、この台座４０にナット４５で固定され立設された支持ボルト４２及びこの支持ボルト４２に螺着されるナット４４，４４を有する。
【００６０】
図１６（ａ）は上記アジャスター３８の第一の取付け形態を示すものであり、この場合、一対の上部及び下部補助具５０，５１が用いられ、それぞれ断面コの字形状で中央部に孔部５２，５３が設けられている。上部補助具５０の平面部の四隅部にはそれぞれ孔部５４が設けられ、またフランジ部には螺子孔５６が設けられている。下部補助具５１のフランジ部には、孔部５８が設けられている。
【００６１】
上記上部補助具５０を取付ける第三の枠材（Ｃ）の下面部には挿通孔部５９が、またこの周辺の該当箇所には螺子孔６０が設けられており、上部補助具５０の孔部５４から介入したビス５５を上記螺子孔６０に螺着して上部補助具５０を固定する。そして、この上部補助具５０の下方から下部補助具５１を、フランジ部を上部にして両者のフランジ部同士を重ね、ビス５５を下部補助具５１の孔部５８から介入し、上部補助具５０の螺子孔５６に螺着して下部補助具５１を固定する。
【００６２】
そして、下部補助具５１と上部補助具５０との間にナット４４を介在させ、下部補助具５１の孔部５３の下方からアジャスター３８の支持ボルト４２を介入し、上記ナット４４に螺入して上記挿通孔部５９を挿通させ、所定の位置で下部補助具５１の下方から別のナット４４を締結して固定する。アジャスター３８の高さはナット４４，４４を調整して変えることができる。
【００６３】
このアジャスター３８により、パネル組立体構造の下部と床面との間に、空気の取り入れなどが行える空間部が形成される。上記アジャスター３８を取り付けた後、第三の枠材（Ｃ）の端部の開口部４６は、小口フタ４８を用いて閉塞する。この小口フタ４８は、介在させたビス４９を第三の枠材（Ｃ）の止着部１２に螺着して固定する。なお、上記アジャスター３８に代えてキャスターを取付けてもよく、この場合にはパネル組立体構造の移動が自在となる。
【００６４】
図１６（ｂ）は、アジャスター３８の第二の取付け形態を示すものであり、アジャスター３８の取付けに際しては、断面ハット形状で中央部に孔部６１が設けられた補助具６２を用いる。上記補助具６２のフランジ部にはそれぞれ螺子孔６４が設けられている。上記補助具６２は、上記第三の枠材（Ｃ）の下面部の内側に取り付けられる。この第三の枠材（Ｃ）の下面部の該当箇所には挿通孔部６５が、またこの周辺の所定位置には孔部６６が設けられ、この下面部の外側からビス５５を上記螺子孔６４に螺着し固定する。さらに、上記補助具６２と第三の枠材（Ｃ）の下面部との間にナット４４を回転不能に介在させる。
【００６５】
そして、第三の枠材（Ｃ）の下面部の下方からアジャスター３８の支持ボルト４２を介入し上記ナット４４に螺入して上記挿通孔部６５を挿通させ、所定の位置で下面部の下方から別のナット４４を締結して固定する。アジャスター３８の高さはナット４４，４４を調整して変えることができる。このアジャスター３８により、パネル組立体構造の下部と床面との間に、空気の取り入れなどが行える空間部が形成される。上記アジャスター３８を取り付けた後、第三の枠材（Ｃ）の端部の開口部４６は、小口フタ４８を用いて閉塞する。上記第三の枠材（Ｃ）をコの字状に連結した枠体同士は、後述する当て板６８を用いて連結する。
【００６６】
次に、上記枠組３７の上にユニットパネル４を組立てるが、上記パネル組立体構造を効率的に組立てるためには、正面からみて左側部、中央部、右側部と３つに分割した場合、一方側から例えば右側部、中央部、左側部の順に組み立てる。この右側部については、正面、右側面、背面、天井面の順にユニットパネル４を組立てる。
【００６７】
先ず、上記枠組３７の第三の枠材（Ｃ）の上部の溝部１０に、正面用のユニットパネル４の下端部に設けられた第一の枠材（Ａ）の突条部８を嵌合してユニットパネル４を立設する。上記枠組３７のコーナー部は、上記ユニットパネル４とは直角に右側面用のユニットパネル４を配置する。これら両ユニットパネル４の枠体同士の縦方向の結合部は、一方には第三の枠材（Ｃ）が配置され、他方はこの第三の枠材（Ｃ）の溝部１０に対して突条部８が向い合う状態に第一の枠材（Ａ）が配置され、これら両者を嵌合し接合する。
【００６８】
さらに、このユニットパネル４に連続して他のユニットパネル４を取り付け、続いてこれと直角に背面のユニットパネル４を取り付ける。そして、天井面用のユニットパネル４を上記側面用のユニットパネル４の上部に載置し、このユニットパネル４を構成する第三の枠材（Ｃ）の溝部１０を、側面用の各ユニットパネル４の上部に設けられる第一の枠材（Ａ）の突条部８に嵌合し接合する。これら各ユニットパネル４は、嵌合構造により組み立てる形態であるため、組み立て途中にユニットパネルを立設した状態においても仮固定がされるため安定がよく、一人の作業員でも楽にかつ簡単に組み立てが行える。
【００６９】
次に、パネル組立体構造の中央部を組立てる。この場合は、上記正面用のユニットパネル４に他のユニットパネル４を連続して取り付け、また背面用のユニットパネル４に他のユニットパネル４を連続して取り付け、これらの上部に天井面用のユニットパネル４を取付ける。そして、パネル組立体構造の正面及び背面において、当て板６８を用いてユニットパネル４同士を接続する。
【００７０】
上記当て板６８は、図１７に示すように、長方形状の基部７０の上下端部からそれぞれフランジ部７２，７３が屈曲形成され、下部側のフランジ部７３は中央部の近傍を凹状に切り欠いた凹部７４が形成されている。また、上記基部７０の上部の左右両側にはそれぞれ２つの孔部７６が設けられている。
【００７１】
この当て板６８は、天井面用のユニットパネル４同士及び正面用のユニットパネル４同士の接合部に用いる。そして、当て板６８の上下のフランジ部７２，７３でユニットパネル４を構成する第三の枠材（Ｃ）及びこの下部に位置するユニットパネル４の第一の枠材（Ａ）を合わせて挟む。これと併せて、正面用のユニットパネル４同士の接合部に位置する縦向きの第一の枠材（Ａ）と第二の枠材（Ｂ）を当て板６８の凹部７４で挟んで両枠材同士を保持固定する。
【００７２】
そして、各ユニットパネル４の第三の枠材（Ｃ）同士の間を当て板６８で被い、基板の左右に設けられる孔部７６にそれぞれボルト７８を挿通し、この第三の枠材（Ｃ）に設けた孔部７９を挿通させて裏面側でナット７７を締結して固定する。これにより、１個の当て板６８で、天井面用のユニットパネル４同士、及び正面用のユニットパネル４同士を接合し固定する。同様に当て板６８を用い、天井面用のユニットパネル４同士、及び背面用のユニットパネル４同士を接合する。なお、上記当て板６８は、上記形状に限られるものではなく、要は左右のユニットパネル同士を、少なくとも２本の止着具で固定可能な形態の板材であれば適用できる。また、当て板はユニットパネルの内側に取り付ける形態であっても良い。
【００７３】
図１８は、上記当て板６８に代えて、ユニットパネル４同士を固定する押えアングル６９を示したものである。この押えアングル６９は、断面Ｌ字状の長尺材で一端部は直角に屈曲した保持部６７が形成されている。押えアングル６９は、パネル組立体構造の正面側の中間部から端部にかけて端部を保持部６７で押えた状態で配置し、天井面のユニットパネル４の第三の枠材（Ｃ）に、押えアングル６９の所定の箇所をボルト８０等の止着具を用いて取り付ける。
【００７４】
続いて、パネル組立体構造の左側部を組立てる。この場合は、上記右側部と略同様な手順で組立てる。また、上記と同様に当て板６８或いは押えアングル６９を用いてユニットパネル４同士を接合する。パネル組立体構造の角部には、必要によりＬ字形の当て板を取り付けるが、この当て板は補強のために用いられる。
【００７５】
図１９は、上記パネル組立体構造の上部近傍の水平断面図を示したものである。このようにユニットパネル４同士の接合部は、第一の枠材（Ａ）の突条部８と第二の枠材（Ｂ）の溝部１０との組合せ、又は第一の枠材（Ａ）の突条部８と第三の枠材（Ｃ）の溝部１０との組み合わせによる嵌合構造により接続される。
【００７６】
図２０は、上記パネル組立体構造の横方向垂直断面図を示したものである。このようにユニットパネル４同士の接合部は、第一の枠材（Ａ）の突条部８と第二の枠材（Ｂ）の溝部１０との組合せ、又は第一の枠材（Ａ）の突条部８と第三の枠材（Ｃ）の溝部１０との組み合わせによる嵌合構造により接続される。また、同一ユニットパネル４の中間部には、上部と下部のパネル２とを接合する第二の枠材（Ｂ）が配置されている。また、パネル組立体構造の下端部には、枠組３７を構成する第三の枠材（Ｃ）にアジャスター３８が取付けられている。
【００７７】
図２１（ａ）（ｂ）は、パネル組立体構造の背面の中央に設けたユニットパネル４（パネル２の未装着箇所）の枠材の内側に、ドア８１を設けた場合の形態を示したものである。このユニットパネル４は、図１に示すように上部近傍の第二の枠材（Ｂ）の下部はパネル２が取付けられてなく、また下端部には枠材のない形態である。なお、このユニットパネル４は、所定の当て板を用いて左右のユニットパネル４及び枠組３７に固定する。
【００７８】
上記ドア８１については、上記第二の枠材（Ｂ）のみを用いて、上記ユニットパネル４と同様に押え材２８とパネル２を装着したドア用のユニットパネルにより形成される。このドア８１は、前面及び裏面の所定位置に取っ手８４，８５をそれぞれ取り付ける。このドア８１用のユニットパネルは、一方の側部の上下にそれぞれ上記ユニットパネル４と開閉可能に連結する蝶番８６を取付け、他方の側部にはストッパー８８を取付ける。
【００７９】
上記パネル組立体構造は、ユニットパネル同士の嵌合により組み立てが行え、当て板により必要な箇所を補強接合するのみで簡単に固定が行える。また、このパネル組立体構造は、簡易に組み立て及び解体が行えるものであり、当て板などの部材は、必要最小の箇所にのみ取り付けるようにすることで作業の簡単化が図れる。
なお、上記枠組３７としてＨ形鋼を用い、この凹状の部位を上向きに配置して枠組みを構成し、この凹部にユニットパネルの下部を嵌入立設させる形態、或いは長尺方向に凹部を有する形態の長尺材により上記枠組みを構成することもできる。
【００８０】
上記パネル組立体構造は、例えば喫煙ルーム、クリーンブース、避難所ブースなどの簡易ルームとして主に屋内に用いることができる。企業や公共施設などで喫煙ルームとして使用する場合には、天井面中央のユニットパネル４等に空気排出用の開口部３５を設けてここにシロッコファンなどの送風機を取付け、排気ダクトを経由させ、換気扇等を介して建物等の外部にたばこの煙を排出する。このとき、喫煙ルーム内には、上記アジャスター３８によってユニットパネル４の下端部と床面との間には適度の空気取り入れ用の隙間が形成されており、この空間部から新しい空気が取り込まれる。またクリーンブースとして使用する場合には、天井面の開口部３５を空気流入口として利用し、ここにＨＥＰＡフィルター（防塵フィルター）などが取り付けられた空気清浄機を取り付け、ブースの室内にきれいな空気を取り込むこともできる。
【００８１】
このパネル組立体構造の移動或いは撤去などにより、これを解体する場合には、上記組立てる手順とは逆の手順により作業を行う。先ず、ドア８１及び当て板６８などを取り外し、ユニットパネル４を天井面、側面の順に取り外し、枠組３７を解体する。これら取り外した個々のユニットパネル４は、解体しないでそのまま保管管理することができる。新たに別の箇所にパネル組立体構造を設置する場合には、床面に枠組３７を組み、上記取り外したユニットパネルを用いて、上記説明した順に組み立てを行う。
【００８２】
図２２（ａ）（ｂ）（ｃ）は、上記第一の枠材（Ａ）の他の形態を示したものである。これら枠材は、第一の枠材（Ａ）と比べて突条部及び溝部の形状が異なる。同図（ａ）は、突条部及び溝部にそれぞれ段部を設けた形状、同図（ｂ）は、突条部及び溝部にそれぞれ段部を設け、突条部の頂部及び該当する溝部を半円状に形成した形状、同図（ｃ）は突条部の頂部及び該当する溝部を半円状に形成した形状である。第二の枠材（Ｂ）及び第三の枠材（Ｃ）の突条部及び溝部についても、それぞれ上記と同様な形状に形成される。上記突条部及び溝部の形状は、嵌合の容易性、加工性、強度などの点を考慮し、使用目的、使用箇所により使い分けることとしても良い。なお、このような突条部及び溝部の形状は、下記第二の実施の形態に係る枠材及び第三の実施の形態に係る枠材にも採用することができる。
【００８３】
従って、上記実施の形態によれば、パネル組立体構造の設置現場において、枠組の設置、ユニットパネルの組み付け、当て板の取り付け及びドアの取付けにより、迅速かつ容易にパネル組立体構造の組み立てが行え、また予め組立てられかつ量産化の可能なユニットパネルを用いることで経済性にも優れたパネル組立体構造が得られる。このため、熟練した施工業者などは不要であり、素人であっても僅かな時間でパネル組立体構造の組立が行えることが確認できており、またユニットパネルの生産コスト及び輸送コストを下げた低コスト化の実現が可能である。
【００８４】
次に、第二の実施の形態に係るパネル組立体構造について説明する。
図２３は、このパネル組立体構造で用いられる３種類の枠材（Ａ，Ｂ，Ｃ）を示したものである。このパネル組立体構造についても、第一の実施の形態に係るパネル組立体構造と同様、全体が直方体のボックス形状の構造体を構築するものであり、３種類の枠材を用い、これら枠材により矩形状のパネル２を囲んで保持したユニットパネル４を用い、これらユニットパネル４を順に組み立て、互いに嵌合させ必要な箇所を接合したものである。
【００８５】
上記３種類の枠材は、同図（ａ）に示す第一の枠材（Ａ）、同図（ｂ）に示す第二の枠材（Ｂ）、同図（ｃ）に示す第三の枠材（Ｃ）があり、何れもアルミニウム又はアルミニウム合金の押出成形による中空状の四角筒からなるものである。
【００８６】
上記第一の枠材（Ａ）は、断面長方形状の中空の四角筒からなり、一方の平面部１０２の中央部には長尺方向に溝部１０が設けられ、この平面部１０２の背面側の他の平面部１０４の中央部にも長尺方向に溝部１０が設けられた形状である。また、上記他の平面部１０４の溝部１０の両側にはそれぞれ断面Ｃ字状の止着部１２，１２が設けられている。
【００８７】
上記第二の枠材（Ｂ）は、断面長方形状の中空の四角筒からなり、一方の平面部１０６の中央部には長尺方向に突条部８が設けられ、この平面部１０６の背面側の他の平面部１０８の中央部には長尺方向に溝部１０が設けられた形状である。また、上記平面部１０６，１０８の溝部１０の両側にはそれぞれ断面Ｃ字状の止着部１２，１２が設けられている。
【００８８】
上記第三の枠材（Ｃ）は、断面正方形状の中空の四角筒からなり、一方の平面部１１０の中央部には長尺方向に溝部１０が設けられ、この平面部１１０とは直角向きに隣接する側面部１１２の中央部には長尺方向に突条部８が設けられている。また、上記平面部１１０の溝部１０の両側にはそれぞれ断面Ｃ字状の止着部１２，１２が設けられ、上記側面部１１２の突条部８の両側にもそれぞれ断面Ｃ字状の止着部１２，１２が設けられている。
【００８９】
これら枠材（Ａ，Ｂ，Ｃ）同士の突条部８と溝部１０との嵌合形態、及び上記押え材２８を用いた上記溝部１０へのパネル２の嵌め込みの基本的な形態は第一の実施の形態と同様である。また、ここでのユニットパネル４は、パネル組立体構造の正面及び背面については、縦枠として第三の枠材（Ｃ）と第一の枠材（Ａ）又は第二の枠材（Ｂ）との組み合わせ、横枠は上部、中間部及び下部は全て第一の枠材（Ａ）を用いた形態であり、右側面及び左側面については、縦枠として第一の枠材（Ａ）同士、又は第一の枠材（Ａ）と第二の枠材（Ｂ）とを組み合せたものを用いた形態であり、それぞれ上記押え材２８を用いてパネル２を装着したものである。
【００９０】
このため、パネル組立体構造の側面に用いられるユニットパネル４は、その上部及び下部は第一の枠材（Ａ）による溝部１０が設けられた形状である。また、天井面に用いられるユニットパネル４は、第一の実施形態のユニットパネル４と同様、側面のユニットパネルと接する箇所には第三の枠材（Ｃ）を用いる。そして、ここでの第三の枠材（Ｃ）は下方側には突条部８が向くように配置する。
【００９１】
さて、ここでパネル組立体構造を組立てる場合、基本的な組立手順は第一の形態と同様であるが、側面のユニットパネルと天井面のユニットパネル及び枠組３７との嵌合形態において、天井面のユニットパネル及び枠組３７側を突条部とし、側面のユニットパネルの上部及び下部側を溝部とした点が異なる。先ず、床面に組む枠組３７は上面部に突条部８が向くように第三の枠材（Ｃ）を配置する。そして、この枠組３７の上にユニットパネル４を立設するが、このときには枠組３７の突条部８に、ユニットパネル４の下端部に設けた第一の枠材（Ａ）の溝部１０を嵌合し接合する。なお、この際には、ユニットパネル４の縦向きの枠材の下端部が当接する部位の上記枠組３７の突条部８は、その部位を切除しておくか、或いは上記縦向きの枠材の下端部を切り欠いて上記突条部８が嵌合し得る溝部を設けておく。
【００９２】
他のユニットパネル４についても、同様にして上記枠組３７の上部に嵌合により立設する。上記立設したユニットパネル４の上部には天井面用のユニットパネル４を配置が、この際、このユニットパネル４を形成する第三の枠材（Ｃ）の下部に設けた突条部８と、側面のユニットパネル４の上部に設けた第一の枠材（Ａ）の溝部１０とを嵌合し接合する。これ以外の基本的手順は第一の実施の形態と同様であり、ここでの説明は省略する。図２４は、このパネル組立体構造の中間部水平断面図を示したものであり、第一の実施の形態とは各枠材の突条部と溝部との嵌合関係が逆になるが、組立体構造の全体の形態は特に変わらない。
【００９３】
この実施の形態においても、第一の実施の形態と同様に、パネル組立体構造の設置現場において、枠組の設置、ユニットパネルの組み付け、当て板の取り付け及びドアの取付けにより、迅速かつ容易にパネル組立体構造の組み立てが行え、また予め組立てられかつ量産化の可能なユニットパネルを用いることで経済性にも優れたパネル組立体構造が得られる。
【００９４】
次に、第三の実施の形態に係るパネル組立体構造について説明する。
図２５は、このパネル組立体構造で用いられる３種類の枠材（Ａ，Ｂ，Ｃ）を示したものである。このパネル組立体構造についても、第一の実施の形態に係るパネル組立体構造と同様、全体が直方体のボックス形状の構造体を構築するものであり、上記３種類の枠材を用いてパネル２を囲み保持した側面用のユニットパネル、天井面用のユニットパネルを、順に嵌合し接合して組み立てる。
【００９５】
上記パネル組立体構造に使用する３種類の枠材は、同図（ａ）に示す第一の枠材（Ａ）、同図（ｂ）に示す第二の枠材（Ｂ）、同図（ｃ）に示す第三の枠材（Ｃ）であり、何れもアルミニウム又はアルミニウム合金の押出成形による中空状の四角筒からなるものである。これら枠材は、第一の実施の形態における枠材と比べて突条部８を同一面に２つ併設し、これと併せて両突条部８に対応して溝部１０を同一面に２つ併設した形状である点で異なる。また、上記併設された溝部１０の両側にはそれぞれ止着部１２が形成されている。
【００９６】
この形態に係るユニットパネルは、図２６に示すように、各枠材の溝部１０に押え材２８を用いてそれぞれパネル２を装着し、他の箇所、及び他の枠材についても同様にしてパネル２を装着する。このようにユニットパネルにおいて、パネル２を一定間隔をおいて複層に配置しパネル２間に空気層を設ける形態とすることにより、ユニットパネルの断熱効果が高められる。
【００９７】
この実施の形態においても、第一の実施の形態と同様に、パネル組立体構造の設置現場において、枠組の設置、ユニットパネルの組み付け、当て板の取り付け及びドアの取付けにより、迅速かつ容易にパネル組立体構造の組み立てが行え、また予め組立てられかつ量産化の可能なユニットパネルを用いることで経済性にも優れたパネル組立体構造が得られる。さらに、この実施の形態においては、パネルを複層に配置したから断熱効果、防音効果に優れたパネル組立体構造が得られる。
【図面の簡単な説明】
【００９８】
【図１】本発明の実施の形態に係るパネル組立体構造を示す図である。
【図２】第一の実施の形態に係り、（ａ）は第一の枠材（Ａ）を、（ｂ）は第二の枠材（Ｂ）を、（ｃ）は第三の枠材（Ｃ）をそれぞれ示す図である。
【図３】実施の形態に係り枠材同士の嵌合状態を示す図である。
【図４】実施の形態に係り枠材にパネルを装着す状態を示す図である。
【図５】実施の形態に係り、第三の枠材（Ｃ）に第一の枠材（Ａ）を取付ける状態を示す図である。
【図６】実施の形態に係り、第三の枠材（Ｃ）に第二の枠材（Ｂ）を、第二の枠材（Ｂ）に他の第二の枠材（Ｂ）を取付ける状態を示す図である。
【図７】実施の形態に係り、第三の枠材（Ｃ）に他の第三の枠材（Ｃ）を取付ける状態を示す図である。
【図８】実施の形態に係り、第二の枠材（Ｂ）に他の第二の枠材（Ｂ）を、第二の枠材（Ｂ）に第一の枠材（Ａ）を取付ける状態を示す図である。
【図９】実施の形態に係り、第一の枠材（Ａ）に第二の枠材（Ｂ）及び他の第一の枠材（Ａ）を取付ける状態を示す図である。
【図１０】実施の形態に係り、第三の枠材（Ｃ）に第二の枠材（Ｂ）及び第一の枠材（Ａ）を取付ける状態を示す図である。
【図１１】実施の形態に係り、第三の枠材（Ｃ）及び第一の枠材（Ａ）枠材にパネルを装着す状態を示す図である。
【図１２】実施の形態に係り、第三の枠材（Ｃ）及び第二の枠材（Ｂ）にパネルを装着す状態を示す図である。
【図１３】実施の形態に係り、パネル組立体構造の正面に用いられるユニットパネルを示す図（ａ）（ｂ）（ｃ）である。
【図１４】実施の形態に係り、パネル組立体構造の天井面に用いられるユニットパネルを示す図（ａ）（ｂ）（ｃ）である。
【図１５】実施の形態に係り、床面の上に配置される枠組を示す図（ａ）（ｂ）である。
【図１６】実施の形態に係り、アジャスターの取付け形態を示す図（ａ）（ｂ）である。
【図１７】実施の形態に係り、当て板の取付け構造を示す図である。
【図１８】実施の形態に係り、押えアングルの取付け構造を示す図である。
【図１９】実施の形態に係り、パネル組立体構造の上部近傍の水平断面を示す図である。
【図２０】実施の形態に係り、パネル組立体構造の横方向の垂直断面を示す図である。
【図２１】実施の形態に係り、パネル組立体構造にドアを設けた形態を示す図である。
【図２２】実施の形態に係り、他の形態の突条部、溝部を有する枠材を示す図（ａ）（ｂ）（ｃ）である。
【図２３】第二の実施の形態に係る枠材を示す図（ａ）（ｂ）（ｃ）である。
【図２４】第二の実施の形態に係り、パネル組立体構造の中間部水平断面を示す図である。
【図２５】第三の実施の形態に係る枠材を示す図（ａ）（ｂ）（ｃ）である。
【図２６】第三の実施の形態に係り、第三の枠材（Ｃ）及び第一の枠材（Ａ）にパネルを装着す状態を示す図である。
【図２７】従来例に係る喫煙ルームを示す図である。
【符号の説明】
【００９９】
Ａ  枠材（第一の枠材）
Ｂ  枠材（第二の枠材）
Ｃ  枠材（第三の枠材）
２  パネル
４  ユニットパネル
８  突条部
１０  溝部
１２  止着部
３０  ビス
３５  開口部
３７  枠組
３８  アジャスター
【図１】
0005153236.tif 000002
【図２】
0005153236.tif 000003
【図３】
0005153236.tif 000004
【図４】
0005153236.tif 000005
【図５】
0005153236.tif 000006
【図６】
0005153236.tif 000007
【図７】
0005153236.tif 000008
【図８】
0005153236.tif 000009
【図９】
0005153236.tif 000010
【図１０】
0005153236.tif 000011
【図１１】
0005153236.tif 000012
【図１２】
0005153236.tif 000013
【図１３】
0005153236.tif 000014
【図１４】
0005153236.tif 000015
【図１５】
0005153236.tif 000016
【図１６】
0005153236.tif 000017
【図１７】
0005153236.tif 000018
【図１８】
0005153236.tif 000019
【図１９】
0005153236.tif 000020
【図２０】
0005153236.tif 000021
【図２１】
0005153236.tif 000022
【図２２】
0005153236.tif 000023
【図２３】
0005153236.tif 000024
【図２４】
0005153236.tif 000025
【図２５】
0005153236.tif 000026
【図２６】
0005153236.tif 000027
【図２７】
0005153236.tif 000028